(57)【特許請求の範囲】
【請求項１】
複数の板材を箱状に組み立ててなる組立式収納家具であって、
複数の板材のうち互いに隣接する何れかの板材同士を係合させ、係合させた位置から組立位置に向かって前記板材を相対回転させることで、当該板材の一方が他方を巻き込んで係合状態を深めるように構成された連結部が両板材の係合縁部にそれぞれ形成されているとともに、前記相対回転を利用して両板材の何れか一方を他方の前記連結部に対して前記係合縁部の延在方向と略直交する方向より挿入させ、前記係合縁部の延在方向と平行な一方向及び他方向についての当該板材同士の相対移動を規制する移動規制部を有し、
前記移動規制部は、前記連結部及び前記移動規制部を介して互いに連結ならびに相対移動規制される前記板材のうち何れか一方に形成され且つ当該両板材の前記係合縁部の延在方向と略直交して延出する係合爪と、前記板材のうちの何れか他方に形成され且つ前記係合爪を挿入可能に形成された係合窓とを有しており、
隣接する板材同士を係合させた位置において、前記係合窓は、それに挿入された前記係合爪が当該両板材の前記係合縁部の延在方向と平行な一方向及び他方向に移動するのを規制すると共に、当該両板材の相対回転に伴う前記係合爪の移動を許容することを特徴とする組立式収納家具。
【請求項２】
前記係合窓は、前記係合爪における前記係合縁部の延在方向の長さに対応して開口するとともに、前記相対回転に伴う前記係合爪の移動を許容可能な幅寸法を有する請求項１記載の組立式収納家具。
【請求項３】
前記連結部及び前記移動規制部を介して互いに連結ならびに相対移動規制される前記板材が、それぞれ背板と側板であり、
前記背板および前記側板の何れか一方は、前記背板と前記側板との係合縁部と略直交する水平方向に延びるとともに、天板又は底板となる前記板材を載置するための板材受けを上縁部又は下縁部に備え、
前記背板および前記側板の何れか他方は、前記板材受けの先端部を挿入可能で、当該先端部の上下方向の長さに対応して開口するとともに、前記相対回転に伴う前記板材受けの先端部の移動を許容可能な幅寸法を有する係合凹部を備え、これら板材受けの先端部および係合凹部によって前記移動規制部が構成される請求項１記載の組立式収納家具。
【請求項４】
前記連結部及び前記移動規制部を介して互いに連結ならびに相対移動規制される前記板材が、それぞれ背板と側板であり、
天板および底板の少なくとも何れかは、組立位置において前記連結部と対応する箇所に形成された切欠き状の嵌合溝を有し、当該嵌合溝を前記連結部に嵌め合わせ、当該連結部を両側から挟み込むことで前記背板および前記側板に連結される請求項１〜３の何れかに記載の組立式収納家具。
【請求項５】
前記嵌合溝が底板に形成されており、
前記底板及び背板の何れか一方は、他方に向けて略水平に突出する水平突出部を有し、前記底板及び背板の何れか他方は、組立位置において前記水平突出部と係合可能な水平凹部を有する請求項４記載の組立式収納家具。
【請求項６】
前記連結部及び前記移動規制部を介して互いに連結ならびに相対移動規制される前記板材が、それぞれ背板と側板であり、当該連結部に、棚板を収容空間内に配置するための棚板取付孔を形成している請求項１〜５の何れかに記載の組立式収納家具。
【請求項７】
前記連結部及び前記移動規制部を介して互いに連結ならびに相対移動規制される前記板材が、それぞれ背板と側板であり、当該背板の上縁部に天板を載置するための天板受けを設け、
前記天板の後端面に、上下方向に沿った挿入部分を有する突出部を形成するとともに、前記背板に当該挿入部分を挿入可能な挿入凹部を形成しており、前記突出部の挿入部分を前記挿入凹部に挿入しつつ、前記天板受け部に天板の後端部を載置することで、前記天板を上下方向に位置決めする請求項１〜６の何れかに記載の組立式収納家具。
【発明の詳細な説明】
【技術分野】
【０００１】
本発明は、複数の板材を箱状に組み立てて構成される組立式収納家具に関する。
【背景技術】
【０００２】
ノックダウン等に好適な組立式収納家具を構成するにあたり、板材を組み立てる構造として、例えば特許文献１には、背面の左右両端側を前方に起立させて形成した係合突起と、側板の後端部において上下方向に配置した補強材に形成された係合凹部とを係合させて背板と側板とを連結させる構造が開示されている。前記係合突起は、背面から前方に起立する起立板部と、起立板部から後内方に傾斜した弾性変形可能な斜面部とを有するものであり、背板および側板は、互いの内面を対向させた状態でこのような係合突起と係合凹部とを当接させ、この当接部位を軸として側板を９０度回転させて、特許文献１の図９に示すように係合突起が係合凹部の壁面に沿って収容されるようにすることで連結することができる。このとき、係合突起の弾性力によって、背板の側縁部と側板の後縁部とが圧着する。
【０００３】
このように特許文献１に開示の組立式収納家具は、背板に対して側板を相対回転させることで簡単に連結することができる。
【先行技術文献】
【特許文献】
【０００４】
【特許文献１】特許第５１０９１５４号公報
【発明の概要】
【発明が解決しようとする課題】
【０００５】
しかしながら、上記背板および上記側板は、組立位置において、係合突起および係合凹部により水平方向への相対移動は規制されるものの、互いに隣接する縁部（係合縁部）に沿った方向、すなわち上下方向への相対移動については充分に規制可能な構成になっているとは言い難く、係合縁部に沿った方向における背板と側板の相対移動を規制するための構成に関しては改善の余地がある。
【０００６】
この問題に対処するため、背板と側板の一部を別途ネジ等の止着具を用いて止着することも考えられるが、部品数および組立工程数の増加につながり、組立効率の低下につながってしまう。
【０００７】
本発明は、上記のような課題を解消することを目的としており、具体的には、背板及び側板をはじめとして互いに隣接する板材同士を相対的に回転させることで連結可能な構成において、当該板材同士の係合縁部に沿った方向への相対移動を規制しつつ、組立効率の良好な組立式収納家具を提供することを目的とする。
【０００８】
本発明は、このような課題を併せて解決することをも目的としている。
【課題を解決するための手段】
【０００９】
本発明は、かかる目的を達成するために、次のような手段を講じたものである。
【００１０】
すなわち、本発明の組立式収納家具は、複数の板材を箱状に組み立ててなるものであって、複数の板材のうち互いに隣接する何れかの板材同士を係合させ、係合させた位置から組立位置に向かって当該板材を相対回転させることで、当該板材の一方が他方を巻き込んで係合状態を深めるように構成された連結部が両板材の係合縁部にそれぞれ形成されているとともに、前記相対回転を利用して両板材の何れか一方を他方の前記連結部に対して前記係合縁部の延在方向と略直交する方向より挿入させ、前記係合縁部の延在方向と平行な一方向及び他方向についての当該板材同士の相対移動を規制する移動規制部を有し、前記移動規制部は、前記連結部及び前記移動規制部を介して互いに連結ならびに相対移動規制される前記板材のうち何れか一方に形成され且つ当該両板材の前記係合縁部の延在方向と略直交して延出する係合爪と、前記板材のうちの何れか他方に形成され且つ前記係合爪を挿入可能に形成された係合窓とを有しており、隣接する板材同士を係合させた位置において、前記係合窓は、それに挿入された前記係合爪が当該両板材の前記係合縁部の延在方向と平行な一方向及び他方向に移動するのを規制すると共に、当該両板材の相対回転に伴う前記係合爪の移動を許容することを特徴とする。
【００１１】
この構成によれば、連結部を介して板材同士を係合させて組立位置に向けて板材を相対回転させる動作を利用して、移動規制部により両板材の何れか一方を他方の連結部に対して係合縁部の延在方向と略直交する方向から挿入するので、板材同士を組立位置で連結させた後に別途ネジなどの止着具で板材同士を留めることなく、組立位置にある両板材が係合縁部の延在方向へ相対移動することを簡単に規制することができる。そのため、板材同士の係合縁部に沿った方向への相対移動を規制しつつ、部品及び組立工程を少なくして、組立効率を向上させることができる。
【００１２】
具体的な構成としては、前記係合窓は、前記係合爪における前記係合縁部の延在方向の長さに対応して開口するとともに、前記相対回転に伴う前記係合爪の移動を許容可能な幅寸法を有する請求項１記載の組立式収納家具。
【００１３】
或いは、前記連結部及び前記移動規制部を介して互いに連結ならびに相対移動規制される板材が、それぞれ背板と側板である場合における移動規制部の他の構成としては、前記背板および前記側板の何れか一方が、背板と側板との係合縁部と略直交する水平方向に延びるとともに、天板又は底板となる前記板材を載置するための板材受けを上縁部又は下縁部に備え、前記背板および前記側板の何れか他方が、前記板材受けの先端部を挿入可能で、当該先端部の上下方向の長さに対応して開口するとともに、前記相対回転に伴う前記板材受けの先端部の移動を許容可能な幅寸法を有する係合凹部を備え、これら板材受けの先端部および係合凹部によって前記移動規制部が構成される。
【００１４】
前記連結部及び前記移動規制部を介して互いに連結ならびに相対移動規制される前記板材がそれぞれ背板と側板である場合に、連結部を利用して天板や底板などの他の板材を背板及び側板に一括で連結可能とするためには、天板および底板の少なくとも何れかが、組立位置において前記連結部と対応する箇所に形成された切欠き状の嵌合溝を有し、当該嵌合溝を連結部に嵌め合わせ、当該連結部を両側から挟み込むことで背板および側板に連結される構成とすることが好ましい。
【００１５】
さらに、前記嵌合溝が底板に形成されている場合に、連結部を利用して背板及び側板に連結される底板を上下方向に容易に位置決めするためには、前記底板及び背板の何れか一方が、他方に向けて略水平に突出する水平突出部を有し、前記底板及び背板の何れか他方が、組立位置において前記水平突出部と係合可能な水平凹部を有する構成であることが好ましい。
【００１６】
特に、前記連結部及び前記移動規制部を介して互いに連結ならびに相対移動規制される板材がそれぞれ背板と側板である場合に、収容空間を狭めることなく、棚板を好適に取り付け可能な構成とするためには、当該連結部に、棚板を収容空間内に配置するための棚板取付孔を形成している構成とすることが好ましい。
【００１７】
一方、前記連結部及び前記移動規制部を介して互いに連結ならびに相対移動規制される板材がそれぞれ背板と側板である場合に、背板に対して天板を好適に取り付け可能な構成を簡単に実現するためには、背板の上縁部に天板を載置するための天板受けを設け、天板の後端面に、上下方向に沿った挿入部分を有する突出部を形成するとともに、背板に当該挿入部分を挿入可能な挿入凹部を形成し、突出部の挿入部分を挿入凹部に挿入しつつ、天板受け部に天板の後端部を載置することで、天板を上下方向に位置決めする構成であることが好ましい。
【発明の効果】
【００１８】
本発明は、以上説明した構成であるから、移動規制部が両板材の何れか一方を他方に対して係合縁部の延在方向と略直交する方向から挿入させて、前記係合縁部の延在方向への相対移動を簡単且つ効果的に抑制することができ、組立に必要な作業を減らして、組立効率を向上させることができる。
【図面の簡単な説明】
【００１９】
【図１】本発明の一実施形態に係る組立式収納家具を示す斜視図。
【図２】同組立式収納家具を構成する背板を示す斜視図。
【図３】同組立式収納家具を構成する側板を示す斜視図。
【図４】図２の背板と図３の側板との連結を説明するための一部構造を省略した説明図。
【図５】図２の背板と図３の側板が組立位置で連結された状態を示す図。
【図６】同組立式収納家具を構成する底板が連結される状態を説明するための斜視図。
【図７】底板を取り付けた家具本体を底面側から見た斜視図。
【図８】同組立式収納家具を構成する天板を示す斜視図。
【図９】同天板が連結される状態を説明するための斜視図。
【図１０】同天板が連結される状態を説明するための側面図。
【図１１】同組立式収納家具の変形例を部分的に示す図５に対応した斜視図。
【図１２】同組立式収納家具の他の変形例を示す図。
【発明を実施するための形態】
【００２０】
以下、本発明の一実施形態を、図面を参照して説明する。
【００２１】
図１に示すように、本発明の一実施形態の組立式収納家具Ｆａは、前面を開口させた中空の家具本体Ｆａ１を主体とするオープン収納型の収納家具である。
【００２２】
家具本体Ｆａ１は、板材である背板１と、同じく板材であって背板１の両側端部に取り付けられる側板２と、同じく板材であって側板２の上端部間に取り付けられる天板３と、同じく板材であって側板２の下端部間に取り付けられる底板４とを箱状に組み付けることにより構成され、内部に収容空間ｓｐ１を形成する。なお、以下の説明において、家具本体Ｆａ１が開口している側を前方（前側）とし、背板１が位置する側を後方（後側）とし、天板３が位置する側を上方（上側）とし、底板４が位置する側を下方（下側）とし、家具本体Ｆａ１を構成する背板１、側板２、天板３及び底板４に囲まれる収容空間ｓｐ１側を内方（内側）とし、家具本体Ｆａ１の反収容空間ｓｐ１側を外方（外側）とし、前方から後方に向かって右を右方（右側）、左を左方（左側）とする。
【００２３】
背板１は、一枚の金属製の板材料を塑性変形加工（例えば板金加工等）により適宜折り曲げて形成されるもので、図２に示すように、右側端部および左側端部をそれぞれ前方に略直角に折り曲げて左端面１ｃ及び右端面１ｄを形成するとともに、その先端部に連結部としての背板側連結部１０，１０を形成している。また、上端部（上縁部）を内方に略直角に折り曲げて上端面１ａを形成するとともに、その先端部を下方に略直角に折り曲げて上内壁部１１ａを形成し、さらにその先端部を前方に略直角に折り曲げて板材受けとしての天板受け１１ｂを形成している。天板受け１１ｂは、その左右方向における端部がテーパ状にカットされてテーパ部１１ｂ１が形成されている。テーパ部１１ｂ１の傾斜角度は、後述する背板１と側板２との連結時に、背板１に対して配置する側板２の好適な傾斜角度と略等しい角度に調整されている。さらに、下端部（下縁部）を内方に略直角に折り曲げて下端面１ｂを形成するとともに、その先端部を上方に折り曲げ、さらにその先端部を前方に略直角に折り曲げて板材受けとしての底板受け１２を形成している。また、背板１の上端部のうち、左右両端側には、下方に向かって開放された挿入凹部としての切欠き部１１ａ１を形成している。切欠き部（スリット）１１ａ１は、上内壁部１１ａの左右両端部の一部を略矩形状に切り欠いて形成されたものであり、切欠き部１１ａ１の上縁１１ａ２から天板受け１１ｂの上面までの上下方向長さは、後述する突出部の挿入部分における上下方向の長さと略等しく構成される。
【００２４】
左側端部に形成される背板側連結部１０は、具体的に、左端面１ｃの先端部を左方に略直角に折り曲げることで、背板１の面板部１ｘと略平行な第１平行部分１０ａを形成し、さらにその先端部を前方に略直角に折り曲げることで、面板部１ｘと略直交する第１直交部分１０ｂを形成している。また、第１直交部分１０ｂの先端部を左方に略直角に折り曲げることで、前記第１平行部分１０ａと略平行な第２平行部分１０ｃを形成するとともに、さらにその先端部を後方に略直角に折り曲げて、前記第１直交部分１０ｂと略平行な第２直交部分１０ｄを形成し、平面視略Ｊ形をなす鉤状としている。第２平行部分１０ｃは第１平行部分１０ａよりも短く構成されるとともに、第２直交部分１０ｄは第１直交部分１０ｂよりも短く構成されており、組立位置において側板２と連結された状態において、第２直交部分１０ｄと側板２の面板部２ｘ（図３参照）との間には所定の隙間が形成される。また、背板側連結部１０の上端部には、第１直交部分１０ｂと第２平行部分１０ｃにかけて開口する、係合凹部としての係合窓１０ｂｃが形成されている。この係合窓１０ｂｃは、後述する係合爪２１ｃ（図３参照）に対応して開口しており、詳しくは後述する。
【００２５】
また、第１直交部分１０ｂには、棚板５（図１参照）を取り付けるための棚板取付孔１０ｂ１が上下方向に複数並んで形成されている。右側端部に形成される右端面１ｄ及び背板側連結部１０は、左側端部にある上述した背板側連結部１０と左右対称に構成される。
【００２６】
背板１において左端面１ｃを含む縁部および右端面１ｄを含む縁部が、それぞれ側板２，２との係合縁部１０ｘ，１０ｘとなる。
【００２７】
側板２は、図３に示すように、一枚の金属製の板材料を塑性変形加工（例えば板金加工等）により適宜折り曲げて略矩形状に形成されるもので、家具本体Ｆａ１の側面を構成する。そして、上下端及び前後端を内方に略直角に折り曲げて上端面２ａ、下端面２ｂ、後端面２ｃ及び前端面２ｄをそれぞれ形成している。この後端面２ｃを含む縁部が、背板１との係合縁部２１ｘとなる。
【００２８】
背板１の左側端部に配置される側板２は、後端部に、背板側連結部１０と係合可能な連結部としての側板側連結部２１が形成されている。側板側連結部２１は、具体的に、後端面２ｃの先端部を前方に略直角に折り曲げて側板２の面板部２ｘと平行な平行部分２１ａを形成するとともに、その先端部をさらに左側に略直角に折り曲げて平行部分２１ａと略直交する直交部分２１ｂを形成することで、平面視略コ字形をなすように構成される。直交部分２１ｂはその上端部が切り欠かれており、平行部分２１ａの上端部における前端からは、上述した背板側連結部１０に形成される係合窓１０ｂｃ（図２参照）と対応する位置に、側面視略矩形状をなす係合凸部としての係合爪２１ｃが前方に向けて延出している。このような側板側連結部２１には、組立位置において背板側連結部１０の棚板取付孔１０ｂ１と重なる位置に棚板取付孔２１ａｂが形成されている。なお、側板側連結部２１の棚板取付孔２１ａｂは、背板側連結部１０の棚板取付孔１０ｂ１よりも一回り大きく設定されている。そのため、棚板５（図１参照）を取り付けるためのフックなどの取付補助具（図示せず）は、棚板取付孔２１ａｂにはほとんど位置規制されることなく、専ら棚板取付孔１０ｂ１によって位置規制される。背板１の右側端部に配置される側板２は、背板１の左側端部に配置される上述した側板２と左右対称の構成である。
【００２９】
また、側板２の前端部には、補強材２２が上下方向に延在して取り付けられている。この補強材２２にも、棚板取付孔２１ａｂと対応する高さ位置に棚板取付孔２２ａが上下方向に複数並んで形成されている。なお、この棚板取付孔２２ａの寸法は、背板側連結部１０の棚板取付孔１０ｂ１とほぼ等しく設定されている。側板２の上端部および下端部のうち、補強材２２の後端側にはアーク溶接等によってブラケット２３，２４がそれぞれ取り付けられている。上端部にあるブラケット２３は、図３に示すように、側板２の面板部２ｘから水平に延びる水平片２３ａと水平片２３ａの前後端からそれぞれ起立する起立片２３ｂ，２３ｃとで構成されている。水平片２３ａには天板３とねじ留めするためのねじ挿通孔２３ａ１が形成されている。側板２の下端部にあるブラケット２４は、補強材２２の下端から水平に延びる水平片２４ａと水平片２４ａの前後端からそれぞれ起立する起立片２４ｂ，２４ｃとで構成されている。このうち、前方にある起立片２４ｂは面板部２ｘに向けてテーパ状になっており、また、水平片２４ａには底板４とねじ留めするためのねじ孔２４ａ１が形成されている。さらに、側板２の前方かつ上方にある隅部には、内側に向けて突出する係合片２６が形成されている。係合片２６は、上下方向に平行な板状部を含むものとなっており、その小口によって上下方向の力を受けることができるため、上下方向に対しては大きな強度を有している。
【００３０】
上記背板側連結部１０は、図４（ａ）に示すように、その先端部をほぼ周回させて左右方向外側に向かって開放された開口が形成されており、この開口より側板側連結部２１を背板側連結部１０に挿入して、係合縁部１０ｘ，２１ｘの延在方向と略直交する方向から係合爪２１ｃを内方に向けて係合窓１０ｂｃより突出させることができる。係合窓１０ｂｃに挿入された当初、係合爪２１ｃは係合窓１０ｂｃのうち第１平行部分１０ａ側に位置し、この状態から係合爪２１ｃを第２平行部分１０ｃ側に移動させることができるように係合窓１０ｂｃの幅寸法が構成されている。前記係合窓１０ｂｃの上下方向の開口寸法は、係合爪２１ｃの上下方向の長さとほぼ等しく構成されており、係合爪２１ｃの上端または下端が係合窓１０ｂｃの上縁または下縁にそれぞれ当接することで、背板１及び側板２の係合縁部１０ｘ，２１ｘに沿った相対移動が規制されるように構成されており、本実施形態ではこのような係合爪２１ｃ及び係合窓１０ｂｃが移動規制部Ａとなる。なお、図４（ａ）では側板２の天板受け１１ｂの図示を省略している。
【００３１】
上記のような背板１に側板２を連結させる際には、図４（ｂ）に示すように、係合縁部１０ｘ，２１ｘを互いに近づけるとともに、背板１に対して側板２を互いの面板部１ｘ，２ｘ同士がほぼ対向するように傾斜させて配置する。このとき、側板２は、平面視において背板１に設けられた天板受け１１ｂのテーパ部１１ｂ１に沿って配置されるとともに、係合爪２１ｃが係合窓１０ｂｃの第１平行部分１０ａ側に挿入されるようにする。天板受け１１ｂのテーパ部１１ｂ１の傾斜角は、係合爪２１ｃが係合窓１０ｂｃに円滑に挿入できる角度に設定されており、このテーパ部１１ｂ１を組立の際の目安とすることができる。
【００３２】
そして、このように背板側連結部１０および側板側連結部２１を係合させた状態で側板２の前端部側を矢印Ｘに示す方向に相対回転させ、図５に示すように、側板２を背板１に対して略直交する組立位置に移動させる。この移動中、背板側連結部１０および側板側連結部２１は、互いに弾性変形しつつ背板側連結部１０が側板側連結部２１を巻き込んで係合状態が深まっていく。組立位置では、側板側連結部２１の平行部分２１ｃが背板側連結部１０の第２直交部分１０ｄに突き当たるとともに、側板側連結部２１の後端面２ｃが背板側連結部１０の第１平行部分１０ａに沿って突き当たり、背板側連結部１０に側板側連結部２１が収容された状態となって、このような係合状態にある背板側連結部１０及び側板側連結部２１によって家具本体Ｆａ１の剛性が確保される。このとき、図５（ｂ）に示すように、係合爪２１ｃは係合窓１０ｂｃにおいて第２平行部分１０ｃ側に位置する。このようにして、背板１と側板２とが直交して連結されるとともに、係合爪２１ｃと係合窓１０ｂｃとからなる移動規制部Ａによって係合縁部１０ｘ，２１ｘの延在方向と平行な方向すなわち上下方向に対して相対的な移動が規制され、背板１に対して側板２が取り付けられる。背板１の右端部側にも同様にして側板２が取り付けられる。なお、図４（ｂ）及び図５（ｂ）において背板側連結部１０及び側板側連結部２１は、これらを構成する構成材料の厚み等を模式的に示している。
【００３３】
その後、図６に示すように、前方から後方に向けて、底板４を後端部が前端部よりも下になる状態で背板１の下端部に向けて差し込む。底板４は、一枚の金属製の板材料を塑性変形加工（例えば板金加工等）により適宜折り曲げて形成されるものであり、裏面側には、前端部において幅方向に延在する補強材４２と、左右両端部よりやや内側において前後方向に延在する補強材４１が設けられている。さらに、底板４の面板部４ｘの左右端部には、背板側連結部１０の外形に沿って略等しく切り欠かれた嵌合溝４０が形成されており、図１に示すように、係合状態にある背板側連結部１０及び側板側連結部２１を嵌合溝４０で両側から挟み込むことができる。そして、底板４の前端部を下方に押し下げ、ブラケット２４の起立片２４ｂを底板４の裏面側の補強材４２に形成された係合穴４３（図７参照）に挿入させるとともに、起立片２４ｃを補強材４２の後端面に沿わせ、さらに側板２の底板受け２５及びブラケット２４の水平片２４ａに底板４の補強材４２を押し当てる。その後、底板４に形成されたネジ挿通孔４４ｂに挿通させたネジによって、ネジ孔２４ａ１を利用してブラケット２４を底板４の補強材にねじ留めする。ここで、図７に示すように、底板４の裏面には前後方向に延在する補強材４１が幅方向に離間して２つ取り付けられている。補強材４１は、底板４ｘの面板部４ｘに対向するベース部分４１ａと、ベース部分４１ａの左右両端から面板部４ｘに向けて延びる延出部分４１ｂと、延出部分４１ｂの先端から面板部４ｘに当接して延びる当接部分４１ｃとを有し、延出部分４１ｂの後端を切り欠くことで背板１の底板受け１２に向けて開口させた水平凹部４１ｂ１を形成している。上記のようにして底板４が水平に押し下げられた状態では、水平凹部４１ｂ１が底板受け１２を上下方向から挟み込んでおり、底板受け１２の上面または下面が水平凹部４１ｂ１の上縁または下縁に当接することで、底板４の後端部が上下方向において位置規制される構成となっている。水平凹部４１ｂ１の開口縁部は、底板受け１２を挿入しやすいようテーパ状となっている。なお、底板４には、図１に示すベース部６を取り付けるための図示しないネジ孔が形成されており、このネジ孔は蓋部４４ａによって覆われている。このようにして底板４が背板１および側板２に取り付けられる。
【００３４】
天板３は、図８に示すように、一枚の金属製の板材料を塑性変形加工（例えば板金加工等）により適宜折り曲げて略矩形状に形成されるもので、家具本体Ｆａ１の上面を構成する。そして、左右両端及び前後端を内方に略直角に折り曲げて前端面３ａ、後端面３ｂ、右端面３ｃ及び左端面３ｄをそれぞれ形成している。また、右端面３ｃ及び左端面３ｄの先端部を内方に略直角に折り曲げることで、天板３の面板部３ｘと略平行な内平行部分３ｃ１を形成するとともに、その先端部をさらに上方に略直角に折り曲げることで、面板部３ｘと略直交する内直交部分３ｃ２を形成している。また、天板３の後端面３ｂの左右両端部には突出部３０が設けられている。突出部３０は、上下方向に平行に延びる板状の挿入部分３０ａと、当該挿入部分３０ａと略直交する補強部分３０ｂとを有する断面略Ｌ字状のものであり、挿入部分３０ａは、右端面３ｃ及び左端面３ｄとなる部分を後端面３ｂよりも後方に延在させて形成し、補強部分３０ｂは、内平行部分３ｃ１を後端面３ｂよりも後方に延在させて形成している。なお、突出部３０の形状は断面略Ｌ字状に限定されず、挿入部分３０ａのみを備えた断面略Ｉ字状であってもよいが、補強部分３０ｂが設けられることで、突出部３０の強度を上げることができる。
【００３５】
さらに、天板３は、裏面側の前部に左右方向に延びる補強材３２を備えており、この補強材３２は面板部３ｘの裏面に対して、スポット溶接等の手段によって取り付けられている。補強材３２は、天板３の面板部３ｘと所定距離だけ離間して天板３の面板部３ｘに対向するベース部分３２ａと、ベース部分３２ａの前後両端から面板部３ｘに向けてそれぞれ延びる第１延出部分３２ｂ，３２ｃと、前方にある一方の第１延出部分３２ｃの先端部から面板部３ｘと平行に延びる第１平行部分３２ｅと、第１平行部分３２ｅの先端から前端面３ａに沿って上方に延びる前端面平行部分３２ｇ（図１０参照）と、第２延出部分３２ｇから面板部３ｘに沿って後方に延びる面板部平行部分３２ｈ（図１０参照）と、後方にある他方の第１延出部分３２ｂから面板部３ｘと平行に延びる第２平行部分３２ｄと、第２平行部分３２ｄの後端から面板部３ｘに向けて延びる第２延出部分３２ｆとを含んで構成される。前端面３ａはその先端部がさらに後方および上方に略直角に折り曲げられており、この上方に折り曲げられた部分が第１延出部分３２ｃに当接している。また、前端面３ｃを構成する板材料は、その左右両端が後方に向けて略直角に折り曲げられて、右端面３ｃ及び左端面３ｄの前端部を構成する前端部分３３を形成している。前端部分３３は右端面３ｃ及び左端面３ｄの各前端に沿って延びる前端領域３３ａと、前端領域３３ａの下端部から後方に延びる後方領域３３ｂとで側面視略Ｌ字状に構成されている。
【００３６】
天板３は、側面をなす右端面３ｃ及び左端面３ｄのうち、前端部分３３を除いて上記補強材３２に対応する部分が切り欠かれて、開口である側面開口部３４を形成している。そして、この側面開口部３４の前方側には、前記係合片２６（図３参照）と係合するための前後方向に延びる天板係合溝３１が側面開口部３４及び前端部分３３によって形成されている。側面開口部３４の下縁すなわち天板係合溝３１の上縁３１ｃと、前端部分３３の後方領域３３ｂの上縁すなわち天板係合溝３１の下縁３１ｂとは、ほぼ平行にされるとともに両者の間隔を係合片２６（図３参照を）の上下方向寸法よりやや大きい程度に設定し、係合する係合片２６を天板係合溝３１の上縁３１ｃと下縁３１ｂにより上下方向に位置規制できるように構成されている。
【００３７】
さらに、補強材３２には、ベース部３２ａの前方側端部を切り欠いて、前記側面開口部３４と連続する導入部３１ａを形成している。この導入部３１ａを介して、側面開口部３４内の空間に下方より係合片２６（図３参照）を導入し、さらに天板係合溝３１に挿入させることができる。
【００３８】
また、後方側にある他方の第２平行部分３２ｄには、ブラケット２３（図３参照）の一方の起立片２３ｂを差し込むための差込孔３２ｃ１が形成されている。さらに、第２延出部分３２ｆよりも後方側において、ブラケット２３の他方の起立片２３ｃを側面側より差し込むための差込開口３２ｆ１が形成されている。第２平行部分３２ｄには、ブラケット２３に設けられたネジ挿通孔２３ａ１と対応する位置にナットを溶接することでネジ孔（図示せず）が形成され、ネジ挿通孔２３ａ１と協働してねじ留めを可能としている。
【００３９】
このような天板３を背板１および側板２に連結させる際には、図９及び図１０（ａ）に示すように、天板３の前端部が後端部より高くなるように傾斜させ、天板３の後端面３ｂに設けた突出部３０を背板１の切欠き部１１ａ１に挿し込んで係合させることで上方への変位を規制した状態とする。そして、天板３の前端部を矢印に示すように下方に押し下げ、図１０（ｂ）のように係合片２６を導入部３１ａより側面開口部３４内の空間に導入させるとともに、ブラケット２３の起立片２３ｂ，２３ｃを差込孔３２ｃ１および差込開口３２ｆ１にそれぞれ差し込み、図９において二点鎖線で示す状態とする。差込孔３２ｃ１および差込開口３２ｆ１は、起立片２３ｂ，２３ｃに対して後方側に向かって余裕があり、その分天板３を後方側に向かって移動させることができるように構成されている。この状態より天板３を矢印に沿って後方側に押し込むことで、導入部３１ａにある係合片２６を天板係合溝３１内へと相対的に移動させ、図１０（ｃ）に示す状態にし、係合片２６を天板係合溝３１に係合させることができる。この状態では、係合片２６の上端と下端が、天板係合溝３１の上縁３１ｃと下縁３１ｂにそれぞれ当接することで、天板３の前端部の上下方向における位置決めがなされる。そして、さらにネジ挿通孔２３ａ１と、補強材３２に設けたネジ孔（図示せず）を利用して、ねじ留めによって固定する。こうすることで、天板３は前側への移動を行うことが不能となり、上下方向への位置規制がなされた安定した状態を保つことが可能となっている。また、このようにして取り付けられる天板３の上面と側板２の上端面２ａ（図３参照）とは面一になるように設定されており、組立式収納家具Ｆａの外観を好適にすることができる。
【００４０】
その後、さらに、必要に応じて図１に示すベース部６を底板４の裏面側に取り付けることで、本実施形態の組立式収納家具Ｆａを組み立てることができる。
【００４１】
以上のように本実施形態の組立式収納家具Ｆａは、複数の板材を箱状に組み立ててなるものであって、複数の板材のうち互いに隣接する側材としての背板１と側板２とを係合させ、係合させた位置から組立位置に向かって当該側板２を相対回転させることで、背板１が側板２を巻き込んで係合状態を深めるように構成された連結部としての背板側連結部１０および側板側連結部２１が背板１および側板２の係合縁部１０ｘ，２１ｘにそれぞれ形成されているとともに、前記相対回転を利用して側板２を背板１の背板側連結部１０に対して係合縁部１０ｘ，２１ｘの延在方向と略直交する方向より挿入させ、係合縁部１０ｘ，２１ｘの延在方向における背板１と側板２との相対移動を規制する移動規制部Ａを有する構成としたものである。
【００４２】
このような構成であることで、背板側連結部１０および側板側連結部２１を介して背板１と側板２とを係合させて組立位置に向けて側板２を相対回転させる動作を利用して、移動規制部Ａにより側板２を背板１の背板側連結部１０に対して係合縁部１０ｘ，２１ｘの延在方向と略直交する方向から挿入するので、背板１および側板２を組立位置で連結させた後に別途ネジなどの止着具で留めることなく、組立位置にある背板１及び側板２が係合縁部１０ｘ，２１ｘの延在方向へ相対移動することを簡単に規制することができる。そのため、背板１及び側板２の係合縁部１０ｘ，２１ｘに沿った方向への相対移動を規制しつつ、部品及び組立作業工程を少なくして、組立効率を向上させることができる。また、家具本体Ｆａ１の補強としても機能し、変形しにくい背板側連結部１０に側板２を挿入させることで、係合縁部１０ｘ，２１ｘの延在方向に沿った背板１及び側板２の相対移動をより安定して規制することができる。
【００４３】
また、側板２は、背板１と側板２の係合縁部１０ｘ，２１ｘの延在方向と略直交して延出する係合凸部としての係合爪２１ｃを有し、背板１は、係合爪２１ｃを挿入可能で、係合爪２１ｃにおける係合縁部１０ｘ，２１ｘの延在方向の長さに対応して開口するとともに、前記相対回転に伴う係合爪２１ｃの移動を許容可能な幅寸法を有する係合凹部としての係合窓１０ｂｃを有し、これら係合爪２１ｃ及び係合窓１０ｂｃによって移動規制部Ａが構成される。このような構成であれば、側板２を背板１に対して相対回転させるだけで係合爪２１ｃを係合窓１０ｂｃから背板側連結部１０に簡単に挿入させることができるとともに、移動規制部Ａの構成をシンプルにして組立式収納家具Ｆａの作製を容易にできる。さらに、このような移動規制部Ａは天板受け１１ｂを利用しないので、図２に示すように天板受け１１ｂの左右方向先端部をテーパ状にカットしてテーパ部１１ｂ１を形成でき、図４（ｂ）に示すように背板１の縁部１０ｘと側板２の縁部２１ｘとを係合させる際、背板１に対して側板２を傾ける角度の目安としてテーパ部１１ｂ１を利用する構成とすることも可能になる。
【００４４】
特に、天板３は、組立位置において背板側連結部１０および側板側連結部２１と対応する箇所に形成された切欠き状の嵌合溝４０を有し、当該嵌合溝４０を互いに係合状態にある背板側連結部１０および側板側連結部２１に嵌め合わせ、背板側連結部１０および側板側連結部２１を両側から挟み込むことで背板１および側板２に連結される構成であることから、係合状態にある背板側連結部１０および側板側連結部２１を利用して、底板４を一括で背板１及び側板２に連結固定することができる。
【００４５】
とりわけ、背板１は、底板４に向けて略水平に突出する水平突出部としての底板受け１２を有し、底板４は、組立位置において底板受け１２と係合可能な水平凹部４１ｂ１を有することから、底板４を上下方向に簡単に位置決めすることができる。
【００４６】
さらに、背板側連結部１０および側板側連結部２１に、図１に示すような棚板５を収容空間ｓｐ１内に配置するための棚板取付孔１０ｂ１を形成していることから、棚板取付孔１０ｂ１を形成するための棚板取付部を別途に設けて収容空間ｓｐ１を狭めることなく、背板側連結部１０および側板側連結部２１を利用して好適に棚板取付孔１０ｂ１を形成することができる。また、互いに連結されることで高い剛性を有する背板側連結部１０および側板側連結部２１に棚板取付孔１０ｂ１が設けられ、この棚板取付孔１０ｂ１を介して棚板５の取り付けがなされることから、棚板５の支持強さを高めることもできる。
【００４７】
また、背板１の上端部に天板３を載置するための天板受け１１ｂを設け、天板３の後端面３ｂに、上下方向に平行に配置された挿入部分３０ａを有する突出部３０を形成するとともに、背板１に当該挿入部分３０ａを挿入可能な挿入凹部としての切欠き部１１ａ１を形成しており、突出部３０の挿入部分３０ａを切欠き部１１ａ１に挿入しつつ、天板受け１１ｂに天板３の後端部を載置することで、天板３を上下方向に位置決めする構成であることから、背板１に対して天板３を好適かつ簡単に取り付けることができる。
【００４８】
以上、本発明の一実施形態について説明したが、各部の具体的な構成は、上述した実施形態のみに限定されるものではなく、本発明の趣旨を逸脱しない範囲で種々変形が可能である。
【００４９】
例えば、本実施形態において移動規制部Ａは、係合爪２１ｃおよび係合窓１０ｂｃとで構成されているが、このような構成に限定されず、図１１に示すように、背板１Ａに設けられて側板２Ａに向けて水平に延びる板材受けとしての天板受け８０ｂの左右方向における先端部８０ｂ１と、側板２Ａの側板側連結部８２に開口する係合凹部としての係合窓８２ａとで移動規制部Ａ´が構成されてもよい。
【００５０】
側板２Ａは、係合爪２１ｃが形成されていないことと、係合窓８２ａが形成されていること以外は図４等に示す側板２と同様の構成である。背板１Ａは、背板側連結部８１に係合窓１０ｂｃ（図４参照）が形成されておらず、背板側連結部８１の上端８１ａが係合窓８２ａよりも下方に位置すること、挿入凹部として図２に示す切欠き部１１ａ１の代わりに挿入開口部８０ａ１が形成されていること、及び、天板受け８０ｂの先端部８０ｂ１が挿入開口部８０ａ１及び背板側連結部８１の上端８１ａを超えて延びていることを除いて図４等に示す背板１と同様の構成である。天板受け８０ｂは、上内壁部１１ａの先端部を前方に略直角に折り曲げて形成されたものであり、挿入開口部８０ａ１は、天板受け８０ｂの基端から上方に向けて上内壁部１１ａの一部を略矩形状に開口させて形成されている。また、天板受け８０ｂは、左右方向において先端部８０ｂ１が中央部８０ｂ２よりも前後方向に短く構成されており、先端部８０ｂ１は中央部８０ｂ２とテーパ部１１ｂ１で繋がっている。なお、先端部８０ｂ１の上下方向への曲げ強度を高めるために、上下方向への折り曲げや折り返しを行うように構成することも好適である。係合窓８２ａは、天板受け８０ｂの先端部８０ｂ１と対応する高さ位置において、側板側連結部８２のうち側板２Ａの面板部２ｘと平行な平行部分２１ａを基端側から前方に向けて切欠くとともに、この切欠きと連続するように側板２Ａの後端面２ｃを組立位置において天板受け８０ｂの左右方向先端を超える位置まで切欠くことで形成されている。係合窓８２ａの上下寸法は、天板受け８０ｂの先端部８０ｂ１の上下方向寸法よりやや大きい程度に構成され、係合窓８２ａの幅寸法は、背板１Ａと側板２Ａとを連結時に相対回転させることによる天板受け８０ｂの先端部８０ｂ１の移動を許容可能となるよう、先端部８０ｂ１の前後方向の長さに対して幅広に構成される。このような係合窓８２ａに、背板１Ａと側板２Ａとの係合縁部８１ｘ，８２ｘの延在方向と直交する方向から天板受け８０ｂの先端部８０ｂ１が挿入されることで、組立位置において背板１Ａ及び側板２Ａが係合縁部８１ｘ，８２ｘの延在方向に沿って相対移動することが規制される。
【００５１】
このように、背板１Ａは、背板１Ａと側板２Ａとの係合縁部８１ｘ，８２ｘと略直交する水平方向に延びるとともに、天板３となる板材を載置するための板材受けとしての天板受け８０ｂを上縁部に備え、側板２Ａは、天板受け８０ｂの先端部８０ｂ１を挿入可能で、当該先端部８０ｂ１の上下方向の長さに対応して開口するとともに、前記相対回転に伴う天板受け８０ｂの先端部８０ｂ１の移動を許容可能な幅寸法を有する係合凹部としての係合窓８２ａを備え、これら天板受け８０ｂの先端部８０ｂ１および係合窓８２ａによって移動規制部Ａ´が構成される。このように、板材を箱状に組み立ててなる収納家具において一般的に設けられる天板受け８０ｂを利用することで、部品点数を増やすことなく、移動規制部Ａ´を容易に構成することができる。
【００５２】
なお、図１１に示す上記構成では、天板受け８０ｂの先端部８０ｂ１と、側板側連結部８２の上端部に位置する係合窓８２ａとで移動規制部Ａ´が構成されているが、背板１Ａの下端部に設けられる図示しない底板受けの先端部と、側板側連結部８２の下端部に形成される図示しない係合窓とで移動規制部が構成されるような構成であってもよい。また、側板２Ａに設けられる天板受け８３の先端部と、背板に形成される図示しない係合窓とで移動規制部が構成されるような構成であってもよい。
【００５３】
また、上記実施形態はオープン収納型の収納家具であるが、図１２に示すように、家具本体Ｆａ１の前面に、家具本体Ｆａ１の前面開口を閉止する閉止位置又は開放する開放位置に回転により開閉可能となる対をなす開き戸７，７取り付け、開き戸型の収納家具Ｆａαとしてもよい。さらに、スライド移動する引き戸を収納家具Ｆａ１に取り付けて引き戸型の収納家具としてもよい。
【００５４】
さらに、本実施形態では、係合凹部は、板材を貫通する係合窓１０ｂｃ，８２ａとして形成されているが、板材を貫通しない係合穴によって係合凹部が構成されてもよい。また、係合凹部に挿入される係合凸部としては、係合凹部に挿入されて移動規制部として機能することが可能なものであれば、爪状のものに限定されず、種々の構造をとり得る。
【００５５】
また、本実施形態では、背板側連結部１０に係合窓１０ｂｃが形成され、側板側連結部２１に係合爪２１ｃが形成されているが、側板側連結部２１に係合窓が形成され、背板側連結部１０に係合爪が形成される構成であってもよい。また、このような移動規制部Ａが、連結部１０，２１の中央部や下端部に設けられてもよく、係合縁部１０ｘ，２１ｘに沿って複数箇所に設けられてもよい。
【００５６】
またさらに、上記実施形態では底板４に嵌合溝４０が形成されているが、天板３に嵌合溝４０が形成され、底板４と同様に、この嵌合溝４０を互いに係合状態にある背板側連結部１０および側板側連結部２１に嵌め合わせるようにしてもよい。
【００５７】
さらに、上記実施形態では、底板３に設けられた水平凹部４１ｂ１と係合する水平突出部が背板１に設けられた底板受け１２によって構成されているが、背板１に別途底板４に向けて延びる突出部を設けてそれを水平突出部としてもよい。また、背板１に水平突出部、底板４に水平凹部４１ｂ１がそれぞれ設けられる構成に限定されず、背板１に水平凹部４１ｂ１、底板４に水平突出部がそれぞれ設けられる構成であってもよい。また、側板１及び天板３が水平突出部と水平凹部４１ｂ１とで上下方向に位置決めされる構成であってもよい。
【００５８】
また、上記実施形態では背板１の天板受け１１ｂにテーパ部１１ｂ１が形成されているが、側板２の天板受け２４や、底板受け１２，２５にテーパ部が形成されるような構成であってもよい。
【００５９】
さらに、上記実施形態では連結部１０，２１（８１，８２）は背板１（１Ａ）および側板２（２Ａ）の連結に用いられているが、背板１（１Ａ）と底板４との連結、背板１（１Ａ）と天板３との連結、側板２（２Ａ）と底板４との連結、側板２（２Ａ）と天板３との連結などに用いられてもよい。また、図１，１１に示すように家具本体Ｆａ１が前方に開口可能な構成でなく、上方に向けて開口するような組立式家具であってもよい。
【００６０】
加えて、このような連結部１０，２１（８１，８２）を用いた板材の連結構造は、上述した直方状をなす組立式収納家具だけではなく、三角柱、五角注、六角形など板材の数を異ならせた場合でも適用することができる。
【００６１】
その他の構成も、本発明の趣旨を逸脱しない範囲で種々変形が可能である。
【符号の説明】
【００６２】
１，１Ａ・・・背板（板材）
２，２Ａ・・・側板（板材）
３・・・天板
３ｂ・・・天板の後端面
４・・・底板
５・・・棚板
１０，８１・・・背板側連結部（連結部）
１０ｂ１・・・棚板取付孔
１０ｂｃ，８１ａ・・・係合窓（係合凹部）
１０ｘ，２１ｘ・・・係合縁部
１１ａ１・・・切欠き部（挿入凹部）
１１ｂ・・・天板受け（板材受け）
１２・・・底板受け（水平突出部）
２１，８２・・・側板側連結部（連結部）
２１ｃ・・・係合爪（係合凸部）
３０・・・突出部
３０ａ・・・挿入部分
４０・・・嵌合溝
４１ｂ１・・・水平凹部
８０ａ１・・・挿入開口部（挿入凹部）
８０ｂ・・・天板受け（板材受け）
８０ｂ１・・・天板受けの先端部
Ａ，Ａ´・・・移動規制部
Ｆａ，Ｆａα・・・組立式収納家具
ｓｐ１・・・収容空間
【図１】
0006599611.tif 000002
【図２】
0006599611.tif 000003
【図３】
0006599611.tif 000004
【図４】
0006599611.tif 000005
【図５】
0006599611.tif 000006
【図６】
0006599611.tif 000007
【図７】
0006599611.tif 000008
【図８】
0006599611.tif 000009
【図９】
0006599611.tif 000010
【図１０】
0006599611.tif 000011
【図１１】
0006599611.tif 000012
【図１２】
0006599611.tif 000013